(57)【要約】【課題】可変減衰器や光アンプ等を使用せずに、全ての波長信号の信号レベルを揃えることのできる安価な光分岐挿入装置を提供する。【解決手段】光分波用のモジュール２１〜２４と、光合波用のモジュール３１〜３４と、光スイッチ４１〜４４とで構成された光分岐挿入装置において、光分波用のモジュール２１〜２４で分波される波長の順序を光の上流側からλ１、λ２、…λｎとした時、合波用のモジュール３１〜３４で合成される波長の順序を光の上流側からλ１、λ２、…λｎとなるように、モジュール３１〜３４を接続した。【選択図】　　　図１
2004045813.tif 000002
【特許請求の範囲】
【請求項１】
第１、第２、第３の３つのポートを有し、第１のポートに入力される波長多重光から特定の波長帯域の光のみを第２のポートに出力し、その他の波長の光を第３のポートから出力する光分波部品を複数備えており、光の上流側に位置する前記光分波部品の第３のポートが、光の下流側に隣接して位置する別の光分波部品の第１のポートに順に接続され、複数の光分波部品を順次通過することにより、λ１〜λｎの波長帯域の光を含む波長多重光からλ１〜λｎの光を順次分波する光分波器と、
第１、第２、第３の３つのポートを有し、第３のポートに入力される光と、第２のポートに入力される特定波長帯域の光を合波し、その合波した光を第１のポートから出力する光合波部品を複数備えており、光の上流側の光合波部品の第１のポートが、光の下流側に隣接する別の光合波部品の第３のポートに順次接続され、各光合波部品の第２のポートからそれぞれ供給されるλ１〜λｎの各波長帯域の光を順次合波して、λ１〜λｎの波長帯域の光を含む波長多重光となす光合波器と、
前記光分波器で分波された各波長帯域の光にそれぞれ対応して設けられ、各光分波部品の第２のポートから出力される光の光路を切り替えることで、次の（Ａ）または（Ｂ）のいずれかの状態を選択する複数の光スイッチと、
（Ａ）光分波部品の第２のポートから出力される光をそのまま透過させ、前記光合波器の対応する波長特性を有する光合波部品の第２のポートに入力
する；
（Ｂ）光分波部品の第２のポートから出力される光の光路を変更して外部に分岐すると共に、外部から挿入される前記分岐された光と同じ波長帯域の光を、光合波器の対応する波長特性を有する光合波部品の第２のポート
へ入力する；
を有した光分岐挿入装置であって、
前記光分波器で分波される波長の順序を光の上流側からλ１、λ２、…λｎとしたとき、前記光合波器で合成される波長の順序を光の上流側からλ１、λ２、…λｎとしたことを特徴とする光分岐挿入装置。
【請求項２】
前記光スイッチが前記（Ａ）の状態のときに光合波器に入力される光の強度と、前記（Ｂ）の状態のときに光合波器に入力される光の強度が等しくなるように、前記外部から挿入される光の強度を調整可能としたことを特徴とする請求項１に記載の光分岐挿入装置。
【請求項３】
前記光分波部品が、誘電体多層膜からなる波長選択フィルタを備えていることを特徴とする請求項１または２に記載の光分岐挿入装置。
【発明の詳細な説明】
【０００１】
【発明の属する技術分野】
本発明は、光通信等の分野において、中継機に向けて信号光を分岐したり、中継局からの信号光を挿入したりするための光分岐挿入装置に関する。
【０００２】
【従来の技術】
波長多重方式の光通信システムでは、１本の光ファイバ上に複数の波長の光信号を多重化することができる。この方式によれば、１本の光ファイバを多重化により有効に活用できるようになる上、波長を単位として信号を中継局に向けて取り出したり、同時に中継局からの信号を挿入したりすることが可能になる。例えば、波長多重方式において波長単位で信号を取り出す場合には、幹線から読み出した信号を波長空間で分離し、しかるべき波長の信号だけを中継局に向けて取り出すことができる。ここで、光信号を識別する一つの方法としては、誘電体多層膜からなる波長選択フィルタを利用する方法がある。例えば、ＳｉＯ２　及びＴａ２Ｏ５　を多層に積層した光学フィルタを用いることにより、所定の波長の光学信号をシャープに取り出すことができる。
【０００３】
中継機に向けて分岐する信号の波長は固定されたものであってもよいが、一般的には選択可能であることが望ましい。後者の場合、回線の故障や混雑状況に応じて柔軟に分岐する波長の選択が可能ならば、新たなメリットが期待できる。このような分岐する波長を選択できる光分岐挿入回路は、「　Ｒｅｃｏｎｆｉｇｕｒａｂｌｅ　ＯＡＤＭ（ＲＯＡＤＭ＝　Ｒｅｃｏｎｆｉｇｕｒａｂｌｅ　Ｏｐｔｉｃａｌ　Ａｄｄ／Ｄｒｏｐ　Ｍｕｌｔｉｐｌｅｘｅｒ）」と言われる。
【０００４】
フィルタモジュール（フィルタアッセンブリとも言われる）を利用したＲＯＡＤＭの代表的な例が、特開平１１−２８１９０３号公報に開示されている。この先行例の回路構成を図２に示す。上記公開公報に開示の例では、選択するべき信号の切り替えをミラーを利用して行っているが、概念的には２×２型のスイッチを利用する場合と同様であるので、図２では光スイッチとして、２×２型のスイッチを利用する構成としてある。
【０００５】
この回路（光分岐挿入装置）は、８個の３ポートモジュール（３ポートを有するフィルタモジュールと同義）２１〜２４、３１〜３４と、４個の光スイッチ４１〜４４とから構成されている。まず、基本要素となる３ポートモジュールＭ（２１〜２４、３１〜３４）の構成及び動作を図３を利用して説明する。
【０００６】
図３に示すように、３ポートモジュールＭは、誘電体多層膜からなる薄膜多層フィルタ１０と、第１〜第３のポート１、２、３に相当する３本の光ファイバを光学的に結合したものである。第１のポート１から入力した信号のうち、多層薄膜フィルタ１０の通過帯域に対応する波長の信号光は、多層薄膜フィルタ１０を透過して、第２のポート２に進む。一方、残りの波長の信号光は、多層薄膜フィルタ１０で反射され、第３のポート３に進む。このように、波長多重信号を第１のポート１に入力することにより、この３ポートモジュールＭは、信号を分岐するデバイス（光分波器）として機能する。
【０００７】
このような光路の変更にはそれぞれ損失が伴う。第１のポート１から第２のポート２へ透過する信号の受ける損失は「透過損失」と呼ばれ、第１のポート１から第３のポート３へ進む信号の受ける損失は「反射損失」と呼ばれる。それぞれの値は、多層薄膜フィルタ１０の特性やモジュールＭの構成等に依存するが、共に概ね０．５ｄＢ程度である。
【０００８】
一方、この３ポートモジュールＭには、他の端子から信号光を加えることも可能である。例えば、第３のポート３から信号光を入力した場合、信号光は多層薄膜フィルタ１０で反射し、第１のポート１に進む。また、多層薄膜フィルタ１０を透過する信号が存在する場合、その信号は、第２のポート２には伝搬しない。このようなデバイスとして使用する場合、一般的な使い方として、第３のポート３には、多層薄膜フィルタ１０で反射される帯域の光信号を導入する。
【００９】
また、第３のポート３に多層薄膜フィルタ１０の阻止帯域に相当する波長の信号光を導入し、第２のポート２に多層薄膜フィルタ１０の通過帯域に相当する波長の信号光を導入すると、第１のポート１には、上記の２信号が合成された信号が取り出される。従って、このようにモジュールＭを使用することにより、信号光を合波する光合波器を実現することができる。
【００１０】
図２の回路中のモジュール２１〜２４は、光分波器２０を構成する光分波部品として使用され、モジュール３１〜３４は、光合波器３０を構成する光合波部品として使用されている。即ち、前者のモジュール２１〜２４は、第１のポート１に入力される波長多重光から特定の波長帯域の光のみを第２のポート２に出力すると共に、その他の波長の光を第３のポート３から出力する光分波部品として使用されている。また、後者のモジュール３１〜３４は、第３のポート３から入力される光と、第２のポート２から入力される特定波長帯域の光を合波して、第１のポート１から出力する光合波部品として使用されている。
【００１１】
光分波器２０は、複数の光分波部品（モジュール２１〜２４）を用意し、光の上流側に位置する光分波部品（モジュール２１〜２３）の第３のポート３を、光の下流側に隣接して位置する別の光分波部品（モジュール２２〜２４）の第１のポート１に、光ファイバ７１〜７３を用いて順に接続することで構成され、これら複数の光分波部品（モジュール２１〜２４）を信号光が順次通過することにより、λ１〜λ４の波長帯域の光を含む波長多重光から、λ１〜λ４の各波長帯域の光を順次分波することができるようになっている。なお、波長多重光は、光の最上流側に位置する光分波部品（モジュール２１）の第１のポート１に接続した入力用の光ファイバ１１から入力される。
【００１２】
また、光合波器３０は、複数の前記光合波部品（モジュール３１〜３４）を用意し、光の上流側の光合波部品（モジュール３４〜３２）の第１のポート１を、光の下流側に隣接する別の光合波部品（モジュール３３〜３１）の第３のポート３に、光ファイバ８３〜８１を用いて順次接続することで構成され、各光合波部品（モジュール３１〜３４）の第２のポート２からそれぞれ供給されるλ１〜λ４の各波長帯域の光を順次合波して、λ１〜λ４の波長帯域の光を含む波長多重光となすことができるようになっている。なお、波長多重光は、光の最下流側に位置する光分波部品（モジュール３１）の第１のポート１に接続した出力用の光ファイバ１２から出力される。
【００１３】
また、光スイッチ４１〜４４は、光分波器２０で分波された各波長帯域λ１〜λ４の光にそれぞれ対応して設けられており、各光分波部品（モジュール２１〜２４）の第２のポート２から出力される光の光路を切り替えることで、次の（Ａ）または（Ｂ）のいずれかの状態を選択することができるようになっている。
【００１４】
（Ａ）光分波部品（モジュール２１〜２４）の第２のポート２から出力される光をそのまま透過させ、光合波器３０の対応する波長特性を有する光合
波部品（モジュール３１〜３４）の第２のポート２に入力する；
（Ｂ）光分波部品（モジュール２１〜２４）の第２のポート２から出力される光の光路を変更して外部に分岐すると共に、外部から挿入される前記分岐された光と同じ波長帯域の光を、光合波器３０の対応する波長特性を
有する光合波部品（３１〜３４）の第２のポート２へ入力する；
【００１５】
それを実現するため、各光スイッチ４１〜４４は、光分波部品（モジュール２１〜２４）の第２のポート２と光合波部品（モジュール３１〜３４）の第２のポート２との間に、光ファイバ５１〜５４、６１〜６４を介して接続されている。また、各光スイッチ４１〜４４には、中継機１００（外部への信号光取り出し及び外部からの信号光の挿入のための送受信機）が接続されている。
【００１６】
次に図２の回路（光分岐挿入装置）の動作を説明する。
幹線から取り出された波長多重信号は、光ファイバ１１を経由して、図２の回路に導入される。３ポートモジュール２１に光ファイバ１１から加えられた波長多重光信号のうち、多層薄膜フィルタの通過帯域の波長の信号成分は、多層薄膜フィルタを透過し、光ファイバ５１に伝搬する。一方、波長多重光信号のうち、上記の透過波長を除く成分の光信号は、多層薄膜フィルタにより反射され、光ファイバ７１に進む。
【００１７】
光ファイバ５１には、中継機１００に向けて取り出すべき波長（例えばλ１）が取り出される。光ファイバ７１に進んだ信号は、次のモジュール２２で他の波長（例えばλ２）が光ファイバ５２に取り出され、残りの信号が光ファイバ７２を経由して更に次のモジュール２３に加えられる。同様にモジュール２３ではλ３の信号が、モジュール２４ではλ４の信号が取り出される。波長多重信号がλ１〜λ４で構成されている場合、全ての信号成分は、光ファイバ５１〜５４に順次取り出され、それぞれの信号光は光スイッチ４１〜４４に加えられる。
【００１８】
そして、これらの光スイッチ４１〜４４で、中継機１００に落とすべき波長の信号光が選択されて分岐される。一例として、λ１の信号が分岐されるケースを説明する。
【００１９】
光ファイバ５１から光スイッチ４１に加えられたλ１の信号は、中継機１００に向けて進むように光路を切り替えられる。一方、中継機１００から挿入される信号は、光スイッチ４１を経由して光ファイバ６１に加えられる。
【００２０】
その他のチャンネル（波長帯域）では、信号光は光スイッチ４２〜４４を通過して、そのまま対応する合波用モジュール３２〜３４に加えられる。即ち、光ファイバ５２〜５４の信号光は、それぞれ光ファイバ６２〜６４にそのまま伝えられる。一旦波長分解された信号は、合波用モジュール３４、３３、３２、３１によりλ４、λ３、λ２、λ１の順で合波され、最終的に全ての波長の信号を有する波長多重信号が光ファイバ１２に送り込まれる。
【００２１】
【発明が解決しようとする課題】
ところで、上述した従来の光分岐挿入装置には以下のように問題があった。即ち、多層薄膜フィルタで光信号を選択した場合、透過信号も反射信号も損失を伴う。その大きさは、フィルタの選択するべきバンド幅によっても異なるが、典型的な値として、バンド幅の広いＣＷＤＭ（低密度波長多重）用フィルタの場合、それぞれの損失は約０．５ｄＢである。従って、このようなフィルタを図２に示す公知例のように接続した場合には、光ファイバ１２に出力される信号のレベルが変動するという問題があった。
【００２２】
先に説明した例を利用して、レベルの変動の様子について説明する。
今、入力用の光ファイバ１１の信号光のレベルを０ｄＢとすると、分岐用モジュール２１を選択透過して光ファイバ５１に取り出されるλ１の信号は、モジュール２１を通過しているため、０．５ｄＢの損失を持つ。これに対し、光ファイバ５２に取り出される信号のレベルは、一度の反射と一度の透過を経由しているので、０．５ｄ＋０．５ｄＢ＝１ｄＢの損失を持つ。同様にして、光ファイバ５３の信号は１．５ｄＢ、光ファイバ５４の信号は２ｄＢの損失を持つ。
【００２３】
これらの信号は、合波用のモジュール３１〜３４により合成される。例えば、光ファイバ５４に取り出されたλ４の信号は、モジュールを更に４回経由するので、上記の損失（２ｄＢ）に対し更に、２ｄＢの損失が追加され、合計４ｄＢの損失を持つことになる。同様に、光ファイバ５３に取り出されるλ３の波長の信号は３ｄＢ、光ファイバ５２に取り出される波長λ２の信号は２ｄＢの損失を持つことになる。
【００２４】
一方、モジュール３１の第２のポート２に入力される特定波長λ１の信号は、光スイッチ４１を介して中継機１００から入力された場合、中継機１００で決定される信号レベルを持つ。この信号レベルを無視したとしても、λ２〜λ４の信号間では、２ｄＢのレベル差が生じている。勿論チャンネル数が多くなるほど、このレベル差も大きくなる。
【００２５】
このようなレベル差は、それぞれの波長の信号に対して信号のレベルを均一化することにより解消可能である。具体的には、光ファイバ６１〜６４に可変減衰器を挿入して、各光ファイバ６１〜６４を伝搬する信号のレベルを均一化することにより解消可能であり、一般的にはそのような方法が採られる。
【００２６】
可変減衰器は新たな損失を発生するという弊害を持つが、ＤＷＤＭ（高密度波長多重）のように長距離伝送を行うシステムでは、不可避的に光アンプが使用されるので、この問題はあまり深刻な問題とはならない。
【００２７】
しかしながら、アクセス系に近い回線に利用される、４波長もしくは８波長の広いバンド幅の信号を利用する、いわゆるＣＷＤＭ（低密度波長多重）の場合、事情が少し異なる。第１に、伝送距離が比較的近いため、光アンプの利用は必ずしも必要なく、むしろ、機器の価格を抑えるため、アンプの利用は避けられる傾向にある。第２に、ＣＷＤＭでは取り扱う情報量が少ないため、機器の価格を抑えることが望ましいと考えられている。
【００２８】
フィルタを利用したＲＯＡＤＭは、特に少数チャンネルのＯＡＤＭに適しているため、ＣＷＤＭにもこのタイプのＯＡＤＭが利用されるが、ＣＷＤＭに適用する場合、上記の問題を解決する必要がある。即ち、新たな損失の発生を避けるため、ＶＯＡ（可変減衰器）無しの回路構成としたい。また、同時に光アンプの利用を避けるため、損失の少ない回路を実現したい。
【００２９】
本発明は、上記事情を考慮し、可変減衰器や光アンプ等を使用することなく、全ての波長信号の信号レベルを揃えることができ、特にチャンネル数が少なく、伝送距離の短いＣＷＤＭに適用するのに好適な、安価な光分岐挿入装置を提供することを目的とする。
【００３０】
【課題を解決するための手段】
請求項１の発明は、第１、第２、第３の３つのポートを有し、第１のポートに入力される波長多重光から特定の波長帯域の光のみを第２のポートに出力し、その他の波長の光を第３のポートから出力する光分波部品を複数備えており、光の上流側に位置する前記光分波部品の第３のポートが、光の下流側に隣接して位置する別の光分波部品の第１のポートに順に接続され、複数の光分波部品を順次通過することにより、λ１〜λｎの波長帯域の光を含む波長多重光からλ１〜λｎの光を順次分波する光分波器と、第１、第２、第３の３つのポートを有し、第３のポートに入力される光と、第２のポートに入力される特定波長帯域の光を合波し、その合波した光を第１のポートから出力する光合波部品を複数備えており、光の上流側の光合波部品の第１のポートが、光の下流側に隣接する別の光合波部品の第３のポートに順次接続され、各光合波部品の第２のポートからそれぞれ供給されるλ１〜λｎの各波長帯域の光を順次合波して、λ１〜λｎの波長帯域の光を含む波長多重光となす光合波器と、前記光分波器で分波された各波長帯域の光にそれぞれ対応して設けられ、各光分波部品の第２のポートから出力される光の光路を切り替えることで、次の（Ａ）または（Ｂ）のいずれかの状態を選択する複数の光スイッチと、
（Ａ）光分波部品の第２のポートから出力される光をそのまま透過させ、前記光合波器の対応する波長特性を有する光合波部品の第２のポートに入力
する；
（Ｂ）光分波部品の第２のポートから出力される光の光路を変更して外部に分岐すると共に、外部から挿入される前記分岐された光と同じ波長帯域の光を、光合波器の対応する波長特性を有する光合波部品の第２のポートへ入力する；
を有した光分岐挿入装置であって、前記光分波器で分波される波長の順序を光の上流側からλ１、λ２、…λｎとしたとき、前記光合波器で合成される波長の順序を光の上流側からλ１、λ２、…λｎとしたことを特徴とする。
【００３１】
この光分岐挿入装置では、光分波器と光合波器における部品の結合順序を従来と変えることにより、各波長（チャンネル）信号が経由する光学部品の個数を揃え、それにより光学部品を経由する際の損失を等しくして、各波長の信号レベルを同じレベルに合わせるようにしている。従って、可変減衰器や光アンプ等を使用することなく、波長信号の信号レベルを揃えることができる。
【００３２】
請求項２の発明は、請求項１において、前記光スイッチが前記（Ａ）の状態のときに光合波器に入力される光の強度と、前記（Ｂ）の状態のときに光合波器に入力される光の強度が等しくなるように、前記外部から挿入される光の強度を調整可能としたことを特徴とする。
【００３３】
この光分岐挿入装置では、外部から挿入する信号のレベルを、そこで分岐される信号のレベルに一致させるようにしたので、外部から信号を挿入する場合であっても、全ての波長信号に対してレベルを揃えることができる。
【００３４】
請求項３の発明は、請求項１または２において、前記光分波部品が、誘電体多層膜からなる波長選択フィルタを備えていることを特徴とする。
【００３５】
【発明の実施の形態】
以下、本発明の実施形態を図面に基づいて説明する。なお、既に説明した部材等については、図中に同一符号または相当符号を付すことにより、説明を簡略化あるいは省略する。
【００３６】
図１は本発明の実施形態としての４チャンネル光分岐挿入装置の構成を示している。この光分岐挿入装置は、図２の公知例と同様に、８個の３ポートモジュール２１〜２４、３１〜３４と、４個の光スイッチ４１〜４４を中心に構成されている。図２の構成との大きな相違点は、合波用のモジュール３１〜３４の接続方法が異なる点である。即ち、図２の例では、信号光がモジュール３４→３３→３２→３１の順に合成されていくように、モジュール３１〜３４間の接続が行われているのに対し、図１の実施形態の装置では、信号光が３１→３２→３３→３４の順で合成されていくように、各モジュール３１〜３４間が光ファイバ９１〜９３で接続され、その向きにおいて最下流に位置することになるモジュール３４に対して、出力用の光ファイバ１２が接続されている。
【００３７】
具体的には、図２の従来例では、光の下流側に位置するモジュール３１の第３のポート３が、光の上流側に隣接して位置する別のモジュール３２の第１のポート１に接続されていたのに対し、本装置では反対に、モジュール３１の第１のポート１がモジュール３２の第３のポート３に接続され、光の合成の方向が逆になっている。他のモジュール間の接続も同様である。
【００３８】
次に動作を説明する。
分波用のモジュール２１〜２４の動作は、図２の例のそれと同一である。従って、損失の発生も同一である。上述した例と同様に、光ファイバ５１に出力される波長λ１の信号は、中継機１００に向けて分岐され、中継機１００からは、しかるべきレベルの信号光が挿入される。その挿入される信号は、モジュール３１〜３４を経由するのに伴って、２ｄＢの損失が追加される。また、λ２の信号光は、光ファイバ５２に分波された段階で１ｄＢの損失があり、更にモジュール３２〜３４を経由することにより、１．５ｄＢの損失が追加される。従って、結果的に損失は２．５ｄＢとなる。また、λ３の信号光は、光ファイバ５３に分波された段階で１．５ｄＢの損失を持つが、モジュール３３〜３４を経由することにより、１ｄＢの損失が追加されるので、損失は合計で２．５ｄＢとなる。λ４についても同様に計算することができ、結果は２．５ｄＢとなる。
【００３９】
ここで、λ１の信号レベルを他の波長の信号と同一のレベルにするには、０．５ｄＢの損失を持つ信号レベルに設定すればよいことが判る。このレベルは、光ファイバ５１上の信号光のレベルと同一である。従って、光ファイバ６１に流れる信号レベルを、光ファイバ５１上の信号レベルと同一に設定することにより、λ１〜λ４の全ての波長信号に対し、信号レベルを２．５ｄＢとすることができる。このように、光合波器３０における接続順序を変えて、中継器１００より挿入する信号の信号レベルを、そこで分岐される信号のレベルに一致させることにより、全ての波長信号に対しレベルを同一にすることができる。従って、光減衰器やアンプを使用しなくてよくなる。
【００４０】
なお、中継機１００からの挿入光の強度（信号レベル）を調整する方法としては、特に限定されるものではないが、次の方法をとるのが好ましい。一般に、中継局等の外部より挿入される光は、ＬＤ（レーザダイオード）等の光源を用いて発振される。このため、挿入光の強度の調整は、光源で発振される光の強度を調整することにより、簡単に行うことができる。このように、挿入光の光源において、発振される光の強度を調整することにより、追加の部品を要することなく、チャンネル間の信号レベルの揃った出力を簡単に得ることができる。また、この場合、可変減衰器を用いた場合のような損失が生じることがないという利点もある。
【００４１】
【発明の効果】
以上説明したように、本発明によれば、光分波器と光合波器における部品の結合順序を従来と変えるだけで、各波長（チャンネル）の信号が経由する光学部品の個数を揃えることができ、それにより、各波長の信号レベルを同じレベルに合わせることができる。従って、可変減衰器や光アンプ等を使用することなく、安価に波長信号の信号レベルを揃えることができる。また、中継機からの信号を光スイッチを介して挿入する場合、挿入する信号のレベルを、そこで分岐される信号のレベルに一致させることにより、全ての波長信号に対しレベルを同一にすることができる。従って、特にチャンネル数が少なく、伝送距離の短いＣＷＤＭに適用するのに好適な安価な光分岐挿入装置を提供することが可能となる。
【図面の簡単な説明】
【図１】本発明の実施形態の光分岐挿入装置の回路図である。
【図２】従来の光分岐挿入装置の回路図である。
【図３】同装置に使用される３ポートモジュールの説明図である。
【符号の説明】
Ｍ　３ポートモジュール（光分波部品、光合波部品）
１　第１のポート
２　第２のポート
３　第３のポート
１０　多層薄膜フィルタ
１１　入力用の光ファイバ
１２　出力用の光ファイバ
２０　光分波器
２１〜２４　３ポートモジュール（光分波部品）
３０　光合波器
３１〜３４　３ポートモジュール（光合波部品）
４１〜４４　光スイッチ
【図１】
2004045813.tif 000003
【図２】
2004045813.tif 000004
【図３】
2004045813.tif 000005